(57)【要約】【課題】監視カメラ等からの複数の画像が監視用装置において多画面表示される場合、上述したように、監視カメラ等からの原画像に対してリサイズ処理が施されて表示されるため、表示データそのものを保存する場合には画質の劣化の問題が発生していた。【解決手段】複数の画像の少なくとも一つにリサイズ処理を行った後、複数の画像を一つの画面に同時に表示出力する画像表示装置において、表示出力される複数の画像のそれぞれについて、リサイズ処理前の原画像のサイズを取得し、これら複数の原画像が、表示出力の際と同様の配置となるように、かつ、複数の原画像のサイズのうちの最大サイズを各原画像のそれぞれについての画像領域のサイズとして、これら複数の原画像が少なくとも一つの合成画像となるように合成する。【選択図】図１
2011176405.tif 000002
【特許請求の範囲】
【請求項１】
複数の画像の少なくとも一つにリサイズ処理を行った後、前記複数の画像を一つの画面に同時に表示出力する画像表示装置であって、
前記表示出力される前記複数の画像のそれぞれについて、前記リサイズ処理前の画像である原画像のサイズを示すサイズ情報を取得するサイズ情報取得手段と、
前記サイズ情報取得手段により、前記サイズ情報が取得された複数の原画像が、前記表示出力の際と同様の配置となるように、かつ、前記複数の原画像のサイズのうちの最大サイズを前記複数の原画像のそれぞれについての画像領域のサイズとして、前記複数の原画像が少なくとも一つの合成画像となるように合成する合成手段と、
を有することを特徴とする画像表示装置。
【発明の詳細な説明】
【技術分野】
【０００１】
本発明は、複数の監視カメラの映像をネットワーク経由で取得し、監視用モニタに一括表示するネットワーク監視システムに関し、特に、ネットワーク監視システムに用いられる画像表示装置に関する。
【背景技術】
【０００２】
従来、監視用コンピュータにおいて複数の監視カメラや画像伝送装置からの撮影映像を受信してディスプレイに一括表示させることで、不審者等の監視を行うネットワーク監視システムが存在する。
【０００３】
図８は、従来のネットワーク監視システムの構成を示す図である。図８に示すネットワーク監視システムでは、ＷＥＢサーバ機能を有する画像伝送装置９０１、ＩＰ（Internet  Protocol）カメラ９０２、画像サーバ装置９０３等の複数の装置にて撮影等されて符号化圧縮された画像データが、ネットワーク回線９０を介して、ＰＣ（パーソナルコンピュータ）９０４やネットワーク画像受信装置９０５へ伝送される。そして、これらの画像データは、復号化された後、ＰＣ９０４のディスプレイやネットワーク画像受信装置９０５に接続されているモニタ９０６に画像表示される。なお、これらの符号化圧縮画像データの伝送は、ＨＴＴＰ（HyperText  Transfer  Protocol）プロトコルやＲＴＰ（Real-time  Transport  Protocol）プロトコル等を利用して行われる。
【０００４】
また、この画像伝送装置９０１等からの複数の画像データがＰＣ９０４のディスプレイやモニタ９０６に画像表示される場合に、表示画面を２×２（横×縦、以下同様）、３×３、４×４などに分割した領域に配置されて表示される技術（以下、「多画面表示」ともいう）が存在する（特許文献１など）。例えば、ＰＣ９０４が画像伝送装置９０１等から１６枚の画像を受信する場合、これらの画像（１）〜（１６）はＰＣ９０４のディスプレイ画面上に４×４に並ぶように合成されて表示用画像９０７が生成される。
【０００５】
この多画面表示は、具体的には、以下のようにして実行される。すなわち、例えばＰＣ９０４のディスプレイの表示画像サイズがＶＧＡ（Video  Graphics  Array：６４０ピクセル×４８０ピクセル）であるとすると、このディプレイに１６枚の画像を４×４に並べて表示するには、１画像あたりの表示サイズは、１６０ピクセル×１２０ピクセルとなる。
【０００６】
ここで、図８における画像伝送装置９０１、ＩＰカメラ９０２、画像サーバ装置９０３からの画像データの画像サイズが、それぞれ、ＶＧＡ（６４０ピクセル×４８０ピクセル）、ＱＶＧＡ（Quarter  VGA：３２０ピクセル×２４０ピクセル）、ＵＸＧＡ（Ultra  eXtended  Graphics  Array：１６００ピクセル×１２００ピクセル）であるとする。この場合、図９に示すように、ＶＧＡサイズの画像９１１は、復号化処理されてＲＧＢ（Red-Green-Blue  color  model）データに変換された後、１／１６にリサイズされて１６０ピクセル×１２０ピクセルの画像サイズとなる。同様に、ＱＶＧＡサイズの画像９１２は１／４にリサイズされ、ＵＸＧＡサイズの画像９１３は１／１００にリサイズされる。そして、これらのリサイズされたＲＧＢデータは、ＰＣ９０４のディスプレイにおいて４×４に並ぶように合成されて多画面表示される。
【先行技術文献】
【特許文献】
【０００７】
【特許文献１】特開２００６−３０８７６７号公報
【発明の概要】
【発明が解決しようとする課題】
【０００８】
しかしながら、画像伝送装置９０１等からの複数の画像が多画面表示される場合、上述したように、画像伝送装置９０１等から送信される原画像に対してリサイズ処理が施されて表示されるため、表示データそのものを保存する場合には画質の劣化の問題が発生していた。
【０００９】
また、多画面表示されている際にある瞬間の画像を保存しようとした場合、各画像を１枚ずつ保存することは可能であったものの、多画面表示されている複数の画像を一度に保存することはできなかった。つまり、複数の画像を保存したい場合には、各画像に切り替えて保存する必要があり、保存する画像の枚数も画像伝送装置９０１等の台数に比例して増えるという問題があった。
【００１０】
そこで、本発明は上記課題を解決し、一つの画面に同時に表示されている複数の画像を保存する際に、高画質に、かつ、複数の画像を一度の操作で保存することが可能な画像表示装置を提供することを目的とする。
【課題を解決するための手段】
【００１１】
上記課題を解決するために、本発明は、複数の画像の少なくとも一つにリサイズ処理を行った後、前記複数の画像を一つの画面に同時に表示出力する画像表示装置であって、前記表示出力される前記複数の画像のそれぞれについて、前記リサイズ処理前の画像である原画像（例えば、図４の４０１〜４１６）のサイズを示すサイズ情報を取得するサイズ情報取得手段と、前記サイズ情報取得手段により、前記サイズ情報が取得された複数の原画像が、前記表示出力の際と同様の配置となるように、かつ、前記複数の原画像のサイズのうちの最大サイズを前記複数の原画像のそれぞれについての画像領域（例えば、図４の画像領域４２０）のサイズとして、前記複数の原画像が少なくとも一つの合成画像（例えば、図４の合成画像４００）となるように合成する合成手段と、を有することを特徴とする画像表示装置を提案する。
【００１２】
この構成によれば、多画面表示などによって複数の画像がリサイズ処理されて表示されている場合に、リサイズ処理前の原画像をそのままのサイズで、かつ、少なくとも一つの合成画像として一括して保存等することができる。すなわち、画質を劣化させずに、鮮明な画像を保存等しておくことが可能である。また、複数のカメラ映像を一つの画面で監視しているような場合でも、一括して合成画像とするため、不審者を発見した場合などにおいて、目的の映像を保存するための操作も簡易になるとともに、その瞬間を素早く保存することができる。また、複数のカメラ映像などが一枚の合成画像に合成されるので、複数画像の管理が簡単である。
【発明の効果】
【００１３】
以上のように、本発明によれば、一つの画面に同時に表示されている複数の画像について高画質で保存すること等が可能である。
【図面の簡単な説明】
【００１４】
【図１】本実施形態に係るネットワーク監視システムの構成例を示す図である。
【図２】画像表示装置１０５の構成例を示すブロック図である。
【図３】画像表示装置１０５の詳細な構成例を示す図である。
【図４】合成部２０４において生成される合成画像の具体例を示す図である。
【図５】画像表示装置１０５における処理の流れを示すフロー図である。
【図６】ステップＳ１０７の処理の詳細を示すフロー図である。
【図７】ステップＳ１０７の処理の詳細を示すフロー図である。
【図８】従来のネットワーク監視システムの構成例を示す図である。
【図９】画像のリサイズ方法の具体例を示す図である。
【発明を実施するための形態】
【００１５】
以下、本発明の実施形態について、図面を参照しながら説明する。なお、以下の説明において参照する各図では、他の図と同等部分は同一符号によって示す。
【００１６】
（ネットワーク監視システムの構成）
図１は、本実施形態に係るネットワーク監視システムの構成例を示す図である。図１に示すネットワーク監視システムは、ＩＰカメラ１０ｉ（ｉ＝１〜４、以下同じ）と、画像表示装置１０５と、ＰＣ１０６とを含んで構成される。また、これらの装置は相互にＬＡＮ（Local  Area  Network）等のネットワーク１０を介して接続されている。
【００１７】
ここで、ＩＰカメラ１０ｉは、一般的なネットワーク監視システムを構成する監視用カメラである。また、ＰＣ１０６は、ユーザが操作する端末であって、一般的なクライアント型のコンピュータである。ＩＰカメラ１０ｉから画像表示装置１０５に撮影映像が送信されると、画像表示装置１０５において、撮影画像がリサイズ処理されて４×４の多画面表示用の画像データが生成され、ＰＣ１０５に送信される。ユーザはＰＣ１０５にて多画面表示される撮影映像を見ながら、不審者を発見した場合等にスナップショットボタンを押下すると、その操作信号が画像表示装置１０５に送信される。画像表示装置１０５では、この操作信号を受信したことをトリガーとして、ボタン操作時にＰＣ１０６において多画面表示されていた撮影映像が、それぞれリサイズ前のサイズで１枚の合成画像に合成されて、ＰＣ１０６に送信される。ＰＣ１０６では、この合成画像を構成する画像データを自装置内のハードディスク等の記憶装置に記憶して保存する。
【００１８】
ここで、ＩＰカメラ１０ｉとＰＣ１０６の機能については、公知の技術であるため、詳しい説明は省略する。以下では、本発明に係る画像表示装置１０５の構成について詳述する。
【００１９】
（画像表示装置１０５の構成）
図２は、画像表示装置１０５の構成例を示すブロック図である。また、図３は、画像表示装置の詳細な構成例を示す図である。以下、図２および図３を用いて画像表示装置１０５の構成について説明する。
【００２０】
図２に示すように、画像表示装置１０５は、画像受信部２０１と、表示出力部２０２と、サイズ情報取得部２０３と、合成部２０４と、データ出力部２０５と、入力受付部２０６と、を有する。また、画像表示装置１０５は、さらに判断部２０７を有していてもよい。
【００２１】
なお、画像表示装置１０５は、具体的には、例えば図３に示すように、ＡＲＭ（Advanced  RISC  Machines）アーキテクチャを採用したプロセッサであるＡＲＭコア３０１、デジタル信号処理を行うプロセッサであるＤＳＰ（Digital  Signal  Processor）３０２、ＲＡＭ（Random  Access  Memory）やハードディスク等から構成される揮発性もしくは不揮発性の記憶装置３０３、ネットワークインタフェース３０４、等の一般的なコンピュータの構成と同様の構成により実現される。以下に説明する各構成の機能は、例えばＡＲＭおよびＤＳＰが不揮発性記憶装置に記憶されているプログラムを読み出して実行することによって実現される機能である。また、後述する画像データ、サイズ情報は、揮発性記憶装置または不揮発性記憶装置に記憶され、必要に応じて適宜、ＲＡＭ上のワーク領域に読み出されてＡＲＭ、ＤＳＰによって処理されるデータである。
【００２２】
（画像受信部２０１）
画像受信部２０１は、外部の少なくとも一つの装置から、複数の画像を構成する画像データを受信する。本実施形態においては、画像受信部２０１は、ＩＰカメラ１０ｉから各カメラが撮影した撮影映像の画像データを、ネットワーク１０を介して受信する。また、ＩＰカメラ１０ｉのそれぞれから受信する画像は、各ＩＰカメラにつき、一つであってもよいし複数であってもよい。また、本実施形態においては複数のＩＰカメラ１０ｉから画像を受信するが、画像を受信する装置は一つのみであって、この一つの装置から複数の画像を受信するようになっていてもよい。
【００２３】
より具体的には、画像受信部２０１は、例えばＬＡＮ用のネットワークインタフェース３０４を介して、符号化されている画像データを取得し、取得した画像データをＡＲＭコア３０１、ＤＳＰコア３０２によって復号化した後、この復号化済み画像データを不揮発性記憶装置または揮発性記憶装置によって実現される復号化データ退避エリア３０５に記憶する。
【００２４】
（表示出力部２０２）
表示出力部２０２は、画像受信部２０１で受信した複数の画像の少なくとも一つにリサイズ処理を行った後、複数の画像を一つの画面に同時に表示出力する。リサイズ処理は、受信した複数の画像のうち一部の画像のみに対して実行するようになっていてもよい。また、「一つの画面に同時に」とは、多画面表示のように、複数の画像を一つの画面に一括して表示出力することを意味する。また、「表示出力する」とは、外部の装置に出力してもよいし、画像表示装置１０５に備えられているディスプレイ等の表示装置に出力してもよい。本実施形態においては、ネットワーク１０を介してＰＣ１０６に送信する。
【００２５】
また、一括して表示する方法としては、例えば、多画面表示のように表示画面を等分に分割した各領域に各画像を配置して表示するようになっていてもよいし、異なる大きさの領域に各画像を配置するようになっていてもよい。さらに、画像の並び順は、４×４などの多画面表示のように規則的に配列されるようになっていてもよいし、ランダムに配列されるようになっていてもよい。なお、本実施形態においては、複数の画像は４×４の多画面表示されるものとする。
【００２６】
より具体的には、表示出力部２０２は、例えば記憶装置３０３の復号化データ退避エリア３０５に記憶されている復号化画像データに対して、図９に例示したようなリサイズ処理を施し、多画面表示（図３においては２×２の多画面表示の例を示す）となるよう画像表示用画像データの生成を行って表示出力する。
【００２７】
（サイズ情報取得部２０３）
サイズ情報取得部２０３は、表示出力部２０２において表示出力される複数の画像のそれぞれについて、リサイズ処理前の画像である原画像のサイズを示すサイズ情報を取得する。サイズ情報は、例えば、サイズそのものを示す情報であってもよいし、他の画像との大きさの比率と、その比率の基準となる大きさの情報とを含む情報等であってもよい。すなわち、サイズ情報とは、直接的または間接的に原画像のサイズを示す情報であればよい。より具体的には、サイズ情報取得部２０３は、例えば画像受信部２０１において画像データに付随する形で受信されてＲＡＭ等の記憶装置３０３に記憶されている画像サイズの情報を読み出すことで、サイズ情報を取得できる。
【００２８】
また、サイズ情報取得部２０３は、入力受付部２０６においてユーザからの入力を受け付けたことをトリガーとしてサイズ情報を取得するようになっていてもよい。「ユーザからの入力を受け付ける」とは、具体的には、例えば特定のキーをユーザが押下したことや、ＧＵＩ（Graphical  User  Interface）によって画面表示された特定のボタンをユーザがマウスでクリックしたことを検知すること等が該当する。また、画像表示装置１０５に備えられているキーボードやマウス等の入力装置からのユーザ入力を検知するだけでなく、ネットワークを介して別の装置に備えられている入力装置からのユーザ入力を検知するようになっていてもよい。本実施形態においては、ＰＣ１０６においてユーザが特定のキー（例えば、スナップショットボタン）を押下すると、キー操作がなされたことを示す操作信号がネットワーク１０を介して画像表示装置１０５に受信されて、その結果、サイズ情報取得部２０３がユーザ入力を検知する。
【００２９】
（合成部２０４）
合成部２０４は、前記サイズ情報取得手段により、サイズ情報が取得された複数の原画像が、表示出力の際と同様の配置となるように、かつ、複数の原画像のサイズのうちの最大サイズを複数の原画像のそれぞれについての画像領域のサイズとして、複数の原画像が、少なくとも一つの合成画像となるように合成して保存する。
【００３０】
図４は、合成部２０４において生成される合成画像の具体例を示す図である。図４においては、原画像４０１〜４１６の１６枚の原画像によって１枚の合成画像（以下、適宜、「スナップショット画像」と称する）４００が構成されている。なお、原画像４０１〜４１６は、ＩＰカメラ１０ｉから送信された撮影映像の一部である。また、原画像４０１〜４１６のそれぞれについて確保される領域４２０を各原画像の「画像領域」という（本明細書を通じて同様）。
【００３１】
ここで、「表示出力の際と同様の配置となるように」とは、例えば、表示出力部２０２での表示出力の際に４×４の多画面表示を行っている場合には、合成部２０４での合成も同一の配置で、図４に示すような４×４に複数の原画像が並ぶように配置して合成すること等を意味する。なお、例えば、複数の画像が整列されておらずランダムに配置されて表示出力部２０２で表示出力されている場合は、合成部２０４でも複数の原画像を同じような配置となるように合成する。
【００３２】
ここで、表示出力の際の画像の並び順と、合成画像における原画像の並び順とが異なっていてもよい。さらに、両者における並び順が異なる場合には、合成画像において表示出力の際の画像の並び順を示すマーク、番号などを各原画像の近傍に付して表示するようにしてもよい。これにより、表示出力の際の画像と合成画像における原画像とを対比すること等が可能となる。
【００３３】
また、「複数の原画像のサイズのうちの最大のサイズを複数の原画像のそれぞれについての画像領域のサイズとして」とは、複数の原画像のサイズのうちの最大のサイズに合わせて他の画像をそのままのサイズで、もしくは拡大してから合成処理することを意味する。なお、合成する際の原画像のサイズは、画質を所望の程度に保てる範囲でより小さいサイズに設定してもよい。なお、本実施形態においては、各原画像のサイズは最大サイズを採用するものとする。
【００３４】
図４に示す例においては、一番大きい原画像が画像４０３、４０５、４１２、４１３、４１５であり、この一番大きいサイズを各原画像の画像領域４２０のサイズとしている。また、各原画像が画像領域４２０よりも小さい場合には、例えば図４に示すように、原画像を画像領域４２０の中心に配置し、原画像周辺の余剰領域（網掛け部分）４３０は例えば黒画像とする。図４のように配置すると、他の画像との区別も明確となってユーザが各原画像を視認しやすい。
【００３５】
また、「少なくとも一つの合成画像となるように合成する」とは、複数の原画像を一つの合成画像となるように合成してもよいし、複数枚の合成画像となるように合成してもよいことを意味する。つまり、図４のように１６枚の原画像４０１〜４１６を１枚の合成画像４００となるように合成してもよいし、例えば原画像４０１〜４０８から構成される合成画像と、原画像４０９〜４１６から構成される合成画像とに分けて、２枚の合成画像となるように合成してもよい。
【００３６】
より具体的には、合成部２０４は、復号化データ退避エリア３０５に記憶されている復号化画像データをコピーした後、このコピーした復号化画像データをＡＲＭコア３０１、ＤＳＰコア３０２において符号化して合成画像データを生成する。その後、生成した合成画像データを記憶装置３０３に記憶する。
【００３７】
（データ出力部２０５）
データ出力部２０５は、合成部２０４で生成された合成画像の画像データを出力する。本実施形態においては、合成部２０４で生成された合成画像データは、ネットワークインタフェース３０４から外部に出力され、ネットワーク１０を介して、ユーザが操作するＰＣ１０６に送信される。
【００３８】
（判断部２０７）
判断部２０７は、合成部２０４で合成される少なくとも一つの合成画像４００のデータ量が画像表示装置１０５に備えられている記憶装置の記憶容量よりも大きくなるか否かを判断する。また、合成部２０４は、判断部２０７での判断結果が、合成画像４００のデータ量が記憶容量よりも大きくなるとの判断結果である場合には、合成部２０４における合成処理の際、合成画像４００における画像領域４２０のサイズをより小さいサイズとする。ここで、「記憶容量」とは、全記憶容量であってもよいし、空き容量であってもよい。また、「少なくとも一つの合成画像のデータ量」とは、合成画像が複数あった場合には、いずれかの合成画像のデータ量であってもよいし、一部もしくは全ての合成画像の合算データ量であってもよい。
【００３９】
図４の例のように複数の画像のうち一番大きいサイズを基準に合成画像４００を生成した場合、合成画像４００は非常に大きい画像となることが予測される。例えば、一番大きい画像である画像４０３、４０５、４１２、４１３、４１５のサイズが、ＵＸＧＡサイズ（１６００ピクセル×１２００ピクセル）である場合、合成画像４００は６４００ピクセル×４８００ピクセルの大きさとなる。このような場合には合成画像のデータ量が大きくなるため、例えば、予めこの合成画像４００のデータ量を算出しておき、算出したデータ量と画像表示装置１０５内部の記憶可能容量とを比較する。そして、合成画像４００のデータ量が記憶可能容量よりも大きい場合には、合成画像４００のサイズを小さくする。具体的には、各原画像４０１〜４１６をリサイズして小さくして、つまり、各原画像４０１〜４１６の画像領域４２０のサイズをより小さく設定して合成処理を行う。
【００４０】
（画像表示装置１０５の動作）
次に、図５ないし図７を参照しながら、本実施形態に係る画像表示装置１０５の動作について説明する。図５は、画像表示装置１０５の処理の流れを示すフロー図である。図６および図７は、図５に示すステップＳ１０７の処理の詳細を示すフロー図である。
【００４１】
まず、画像受信部２０１において、ＩＰカメラ１０ｉからの符号化された画像が取得され、復号化される（ステップＳ１０１）。表示出力部２０２において、復号化された画像にリサイズ処理が施された後、４×４の多画面表示用の画像データが生成されて、ＰＣ１０６に出力される（ステップＳ１０３）。そして、入力受付部２０６において、ＰＣ１０６のスナップショットボタンが押下されたことが検知された場合には（ステップＳ１０５）、スナップショット画像４００が取得される（ステップＳ１０７）。
【００４２】
ここで、図６および図７を用いて、ステップＳ１０７の処理について詳述する。まず、カウンタとなる変数ｉの値が‘１’に、最大サイズを保持する変数ｊの値が‘０’に設定される（ステップＳ２０１）。次に、サイズ情報取得部２０３において、多画面表示されているｉ番目の画像領域４２０に表示中の画像についてリサイズ前の原画像の画像サイズＸが取得される（ステップＳ２０３）。
【００４３】
そして、取得された画像サイズＸがｊの値より大きい場合には（ステップＳ２０５）、ｊの値が画像サイズＸに設定される（ステップＳ２０７）。その後、ｉの値が‘１’増加された後（ステップＳ２０９）、ｉの値が‘１６’より大きいかが判断される（ステップＳ２１１）。ｉの値が‘１６’より小さい場合、すなわち、多画面表示されている複数の画像のすべてについて画像サイズが取得されていない場合には、ステップＳ２０３に戻り、上記の処理が繰り返される。ｉの値が’１６’より大きい場合、すなわち、多画面表示されている複数の画像のすべてについて画像サイズが取得された場合には、ｊの値に応じた４×４のスナップショット画像４００のためのメモリ領域が記憶装置３０３上に確保される。
【００４４】
次に、変数ｋの値が‘１’に設定される（ステップＳ２１５）。そして、生成されるスナップショット画像４００におけるｋ番目の画像領域４２０に配置すべき原画像の画像サイズＹが取得される（ステップＳ２１７）。取得された画像サイズＹがｊの値より小さい場合には、ｋ番目の画像領域４２０の中央になるように原画像が配置される（ステップＳ２１９、Ｓ２２１）。画像サイズＹがｊの値より大きい場合には、ｋ番目の画像領域４２０に原画像が配置される（ステップＳ２２３）。ここで、「原画像が配置される」とは、具体的には、合成画像上における原画像の位置が決定されることであり、この決定に従って合成処理が行われ、合成画像データが生成される。
【００４５】
その後、ｋの値が‘１’増加された後（ステップＳ２２５）、ｋの値が’１６’より大きいかが判断される（ステップＳ２２７）。ｋの値が’１６’より小さい場合、すなわち、すべての原画像について画像領域４２０における配置が決定されていない場合には、ステップＳ２１７に戻り、上記の処理が繰り返される。ｋの値が’１６’より大きい場合、すなわち、すべての原画像について画像領域４２０における配置が決定された場合には、’１６’枚の原画像を用いて符号化処理が実行され、スナップショット画像４００が生成される（ステップＳ２２９）。
【００４６】
なお、ステップＳ２０１〜Ｓ２１１の処理は、サイズ情報取得部２０３において実行される。また、ステップＳ２１３〜Ｓ２２９の処理は、合成部２０４において実行される。
【００４７】
図５に戻り、上記説明したようにステップＳ１０７における処理の実行後、データ出力部２０５において、符号化して生成されたスナップショット画像４００が出力される（ステップＳ１０９）。画像表示装置１０５における処理が終了しない場合には、ステップＳ１０１に戻り、処理が繰り返される（ステップＳ１１１）。
【００４８】
（まとめ）
以上のように、本発明によれば、一つの画面に同時に表示されている複数の画像について高画質で保存すること等が可能である。
【００４９】
（請求項に関する付記）
本発明については、請求項の記載に関して、以下の態様が考えられる。
【００５０】
（請求項２）
前記少なくとも一つの合成画像のデータ量が自装置に備えられている記憶装置の記憶容量よりも大きくなるか否かを判断する判断手段をさらに有し、
前記合成手段は、前記判断手段での判断結果が、前記合成画像のデータ量が前記記憶容量よりも大きくなるとの判断結果である場合には、前記画像領域のサイズを前記最大サイズより小さいサイズとすることを特徴とする請求項１に記載の画像表示装置。
【００５１】
この構成によれば、画像表示装置１０５が使用可能な記憶装置に記憶可能であるように、合成画像のサイズを調整することが可能である。
【００５２】
（請求項３）
前記サイズ情報取得手段は、ユーザからの入力を受け付けたことをトリガーとして（例えば、図２の入力受付部２０６）前記サイズ情報を取得することを特徴とする請求項１又は２に記載の画像表示装置。
【００５３】
この構成によれば、ユーザの指示による任意のタイミングで合成画像を保存すること等が可能である。
【００５４】
（請求項４）
外部の少なくとも一つの装置（例えば、図１のＩＰカメラ１０ｉ）から、前記複数の原画像を構成する原画像データを受信することを特徴とする請求項１から３のいずれか一項に記載の画像表示装置。
【００５５】
（請求項５）
複数の画像の少なくとも一つにリサイズ処理を行った後、前記複数の画像を一括して表示出力する画像表示方法であって、
前記表示出力される前記複数の画像のそれぞれについて、前記リサイズ処理前の原画像のサイズを示すサイズ情報を取得するサイズ情報取得ステップ（例えば、図６のステップＳ２０１〜Ｓ２１１）と、
前記サイズ情報を取得した複数の原画像が、前記表示出力の際と同じ配置となるように、かつ、前記複数の原画像のサイズのうちの最大サイズを前記複数の原画像のそれぞれについての画像領域のサイズとして、前記複数の原画像を少なくとも一つの合成画像となるように合成する合成ステップ（例えば、図６のステップＳ２１３〜図７のステップＳ２２９）と、
前記合成画像を出力するデータ出力ステップ（例えば、図５のステップＳ１０９）と、
を有することを特徴とする画像表示方法。
【００５６】
この構成によれば、多画面表示などによって複数の画像がリサイズ処理されて表示されている場合に、リサイズ処理前の原画像をそのままのサイズで、かつ、少なくとも一つの合成画像として一括して保存等することができる。すなわち、画質を劣化させずに、鮮明な画像を保存等しておくことが可能である。また、複数のカメラ映像を一つの画面で監視しているような場合でも、一括して合成画像とするため、不審者を発見した場合などにおいて、目的の映像を保存するための操作も簡易になるとともに、その瞬間を素早く保存することができる。また、複数のカメラ映像などが一枚の合成画像に合成されるので、複数画像の管理が簡単である。
【符号の説明】
【００５７】
１０  ネットワーク
１０１〜１０４  ＩＰカメラ
１０５  画像表示装置
１０６  ＰＣ
２０１  画像受信部
２０２  表示出力部
２０３  サイズ情報取得部
２０４  合成部
２０５  データ出力部
２０６  入力受付部
２０７  判断部
３０１  ＡＲＭコア
３０２  ＤＳＰコア
３０３  記憶装置
３０４  ネットワークインタフェース
３０５  復号化データ退避エリア
４００  合成画像（スナップショット画像）
４０１〜４１６  原画像
４２０  画像領域
９０  ネットワーク回線
９０１  画像伝送装置
９０２  カメラ
９０３  画像サーバ装置
９０５  ネットワーク画像受信装置
９０６  モニタ
９０７  表示用画像
【図１】
2011176405.tif 000003
【図２】
2011176405.tif 000004
【図３】
2011176405.tif 000005
【図４】
2011176405.tif 000006
【図５】
2011176405.tif 000007
【図６】
2011176405.tif 000008
【図７】
2011176405.tif 000009
【図８】
2011176405.tif 000010
【図９】
2011176405.tif 000011